(57)【特許請求の範囲】
【請求項１】
端部に切欠部が形成された第１の媒体を収容する第１の媒体収容部と、端部に切欠部が形成されない第２の媒体を収容する第２の媒体収容部とを有する媒体収容手段と、
製本指定時に、前記第１の媒体収容部内における前記第１の媒体の有無をチェックするチェック手段と、
このチェック手段により、前記第１の媒体収容部内に前記第１の媒体が有ると判別されるのに基づいて前記第１の媒体を取出して供給し、前記第１の媒体が無いと判別されるのに基づいて前記第２の媒体収容部内の前記第２の媒体を取出して供給する媒体供給手段と、
この媒体供給手段から供給された第１或いは第２の媒体を搬送する搬送手段と、
この搬送手段により搬送される第１或いは第２の媒体に画像を形成する像形成手段と、
この像形成手段により画像が形成された第２の媒体の端部に切欠部を形成する切欠部形成手段と、
前記像形成手段により画像が形成された第１の媒体或いは前記切欠部形成手段により切欠部が形成された第２の媒体を排出させる排出手段と、
この排出手段により排出された第１或いは第２の媒体を集積する集積手段とを具備することを特徴とする画像形成装置。
【請求項２】
端部に切欠部が形成された第１の媒体を収容する第１の媒体収容部と、端部に切欠部が形成されない第２の媒体を収容する第２の媒体収容部とを有する媒体収容手段と、
製本指定時に、前記第１の媒体収容部内における前記第１の媒体の有無をチェックするチェック手段と、
このチェック手段により、前記第１の媒体収容部内に前記第１の媒体が有ると判別されるのに基づいて前記第１の媒体を取出して供給し、前記第１の媒体が無いと判別されるのに基づいて前記第２の媒体収容部内の前記第２の媒体を取出して供給する媒体供給手段と、
この媒体供給手段から供給された第１或いは第２の媒体を搬送する搬送手段と、
この搬送手段により搬送される第１或いは第２の媒体の一面側に画像を形成する第１の画像形成部及び前記第１或いは第２の媒体の他面側に画像を形成する第２の画像形成部を有する像形成手段と、
この像形成手段の第１及び第２の画像形成部により画像が形成された第２の媒体の端部に切欠部を形成する切欠部形成手段と、
前記像形成手段の第１及び第２の画像形成部により画像が形成された第１の媒体或いは前記切欠部形成手段により切欠部が形成された第２の媒体を排出させる排出手段と、
この排出手段により排出された第１或いは第２の媒体を集積する集積手段とを具備することを特徴とする画像形成装置。
【請求項３】
端部に切欠部が形成された第１の媒体を収容し、
端部に切欠部が形成されない第２の媒体を収容し、
製本指定時に、前記第１の媒体の有無をチェックし、
このチェックにより、前記第１の媒体が有ると判別されるのに基づいて前記第１の媒体を取出して供給し、前記第１の媒体が無いと判別されるのに基づいて前記第２の媒体を取出して供給し、
供給された第１の媒体及び前記第２の媒体に画像を形成し、
画像が形成された前記第２の媒体の端部に切欠部を形成し、
画像が形成された前記第１の媒体と前記切欠部が形成された前記第２の媒体とを集積することを特徴とする画像形成方法。
【請求項４】
端部に切欠部が形成された第１の媒体を収容し、
端部に切欠部が形成されない第２の媒体を収容し、
製本指定時に、前記第１の媒体の有無をチェックし、
このチェックにより、前記第１の媒体が有ると判別されるのに基づいて前記第１の媒体を取出して供給し、前記第１の媒体が無いと判別されるのに基づいて前記第２の媒体を取出して供給し、
供給された前記第１の媒体及び前記第２の媒体の一面側に画像を形成し、
前記第１の媒体及び前記第２の媒体の他面側に画像を形成し、
画像が形成された前記第２の媒体の端部に切欠部を形成し、
画像が形成された前記第１の媒体と前記切欠部が形成された前記第２の媒体とを集積することを特徴とする画像形成方法。
【請求項５】
端部に切欠部が形成された第１の媒体を収容し、
端部に切欠部が形成されない第２の媒体を収容し、
製本指定時に、前記第１の媒体の有無をチェックし、
このチェックにより、前記第１の媒体が有ると判別されるのに基づいて前記第１の媒体を取出して供給し、前記第１の媒体が無いと判別されるのに基づいて前記第２の媒体を取出して供給し、
供給された前記第１の媒体及び前記第２の媒体の一面側に第１の画像形成手段で画像を形成し、
前記第１の媒体及び前記第２の媒体の他面側に前記第１の画像形成手段とは異なる第２の画像形成手段で画像を形成し、
画像が形成された前記第２の媒体の端部に切欠部を形成し、
画像が形成された前記第１の媒体と前記切欠部が形成された前記第２の媒体とを集積することを特徴とする画像形成方法。
【発明の詳細な説明】
【技術分野】
【０００１】
本発明は、デジタル電子写真複写機として適用される画像形成装置及び画像形成方法に関する。
【背景技術】
【０００２】
近年、デジタル電子写真複写機の普及に伴って、コピー成果物に多様な付加価値を与えることができるようになってきたが、なかでも従来、枚葉として出力されていたものを冊子状にするニーズが高まっている。
【０００３】
これはデジタルになったことで、原稿イメージを保存し、加工することが容易になったため、丁合という作業をせずに冊子状に複写アウトプットすることが可能になったことが大きく寄与している。
【０００４】
そこで、複写した用紙をステイプルで綴じたり、無線綴じで製本してくるみ表紙を取付ける等の複写機の付属装置が実用化してきている。
【０００５】
図１は無線綴じの概念を示すものである。
【０００６】
従来の簡易製本では図６に示すように、複写した積層紙葉５１の一端部にホットメル接着剤５２を塗布し、その外側にくるみ表紙５３を巻き付け、接着部を圧接した上で加熱する。これにより、ホットメル接着剤５２が溶融されて積層紙葉５１の端面に接着剤が沁み込み、この沁み込んだ接着剤を冷却固化させることで、冊子状にする。
【０００７】
しかしながら、このような接着では冊子を開いた場合に、開いた部分の紙葉の接着が不充分で、剥がれてしまう場合があった。
【０００８】
これに対して本格的な無線綴じ製本では図７に示すように、接着部分が強固であり、開いた場合でも紙葉が剥がれ難くなっている。
【０００９】
即ち、この場合には、積層紙葉の一端部に図８に示すように、切欠部Ｐを形成し、紙葉端部をこの切欠部Ｐも含めて接着することで、冊子を開いた時にいきなり紙端に力を受けず、その手前の切欠部Ｐの接着で保持するので、紙葉が曲げられ、結果としては剥がれ難くなっている。
【００１０】
このような切り欠きを「ガリ」と呼び、専用のくるみ表紙製本装置では、積層状態の紙葉の端部をまとめて専用のカッタで削り取っている（例えば、特許文献１参照。）。
【特許文献１】特開平１１−３５２２２号公報
【発明の開示】
【発明が解決しようとする課題】
【００１１】
しかしながら、このような専用のカッタは構成的に複雑で、高価であり、複写機の後処理機器として簡便に使うことができないものとなっていた。
【００１２】
本発明は上記実情に鑑みなされたもので、より簡便で安価な方法で、媒体に切欠部を形成してページの剥がれ難い無線綴じ製本ができるようにした画像形成装置を提供することを目的とする。
【課題を解決するための手段】
【００１６】
上記課題を解決するため、請求項１記載の発明は、端部に切欠部が形成された第１の媒体を収容する第１の媒体収容部と、端部に切欠部が形成されない第２の媒体を収容する第２の媒体収容部とを有する媒体収容手段と、製本指定時に、前記第１の媒体収容部内における前記第１の媒体の有無をチェックするチェック手段と、このチェック手段により、前記第１の媒体収容部内に前記第１の媒体が有ると判別されるのに基づいて前記第１の媒体を取出して供給し、前記第１の媒体が無いと判別されるのに基づいて前記第２の媒体収容部内の前記第２の媒体を取出して供給する媒体供給手段と、この媒体供給手段から供給された第１或いは第２の媒体を搬送する搬送手段と、この搬送手段により搬送される第１或いは第２の媒体に画像を形成する像形成手段と、この像形成手段により画像が形成された第２の媒体の端部に切欠部を形成する切欠部形成手段と、前記像形成手段により画像が形成された第１の媒体或いは前記切欠部形成手段により切欠部が形成された第２の媒体を排出させる排出手段と、この排出手段により排出された第１或いは第２の媒体を集積する集積手段とを具備する。
【００１７】
請求項２記載の発明は、端部に切欠部が形成された第１の媒体を収容する第１の媒体収容部と、端部に切欠部が形成されない第２の媒体を収容する第２の媒体収容部とを有する媒体収容手段と、製本指定時に、前記第１の媒体収容部内における前記第１の媒体の有無をチェックするチェック手段と、このチェック手段により、前記第１の媒体収容部内に前記第１の媒体が有ると判別されるのに基づいて前記第１の媒体を取出して供給し、前記第１の媒体が無いと判別されるのに基づいて前記第２の媒体収容部内の前記第２の媒体を取出して供給する媒体供給手段と、この媒体供給手段から供給された第１或いは第２の媒体を搬送する搬送手段と、この搬送手段により搬送される第１或いは第２の媒体の一面側に画像を形成する第１の画像形成部及び前記第１或いは第２の媒体の他面側に画像を形成する第２の画像形成部を有する像形成手段と、この像形成手段の第１及び第２の画像形成部により画像が形成された第２の媒体の端部に切欠部を形成する切欠部形成手段と、前記像形成手段の第１及び第２の画像形成部により画像が形成された第１の媒体或いは前記切欠部形成手段により切欠部が形成された第２の媒体を排出させる排出手段と、この排出手段により排出された第１或いは第２の媒体を集積する集積手段とを具備する。
【００１８】
請求項３記載の発明は、端部に切欠部が形成された第１の媒体を収容し、端部に切欠部が形成されない第２の媒体を収容し、製本指定時に、前記第１の媒体の有無をチェックし、このチェックにより、前記第１の媒体が有ると判別されるのに基づいて前記第１の媒体を取出して供給し、前記第１の媒体が無いと判別されるのに基づいて前記第２の媒体を取出して供給し、供給された第１の媒体及び前記第２の媒体に画像を形成し、画像が形成された前記第２の媒体の端部に切欠部を形成し、画像が形成された前記第１の媒体と前記切欠部が形成された前記第２の媒体とを集積する。
【００１９】
請求項４記載の発明は、端部に切欠部が形成された第１の媒体を収容し、端部に切欠部が形成されない第２の媒体を収容し、製本指定時に、前記第１の媒体の有無をチェックし、このチェックにより、前記第１の媒体が有ると判別されるのに基づいて前記第１の媒体を取出して供給し、前記第１の媒体が無いと判別されるのに基づいて前記第２の媒体を取出して供給し、供給された前記第１の媒体及び前記第２の媒体の一面側に画像を形成し、前記第１の媒体及び前記第２の媒体の他面側に画像を形成し、画像が形成された前記第２の媒体の端部に切欠部を形成し、画像が形成された前記第１の媒体と前記切欠部が形成された前記第２の媒体とを集積する。
【００２０】
請求項５記載の発明は、端部に切欠部が形成された第１の媒体を収容し、端部に切欠部が形成されない第２の媒体を収容し、製本指定時に、前記第１の媒体の有無をチェックし、このチェックにより、前記第１の媒体が有ると判別されるのに基づいて前記第１の媒体を取出して供給し、前記第１の媒体が無いと判別されるのに基づいて前記第２の媒体を取出して供給し、供給された前記第１の媒体及び前記第２の媒体の一面側に第１の画像形成手段で画像を形成し、前記第１の媒体及び前記第２の媒体の他面側に前記第１の画像形成手段とは異なる第２の画像形成手段で画像を形成し、画像が形成された前記第２の媒体の端部に切欠部を形成し、画像が形成された前記第１の媒体と前記切欠部が形成された前記第２の媒体とを集積する。
【発明の効果】
【００２３】
本発明によれば、媒体収容手段には予め切欠部が形成された第１の媒体を収容する第１の収容部と、切欠部が形成されない第２の媒体を収容する第２の収容部を設けるため、第１の収容部から第１の媒体を取出した場合には、切欠部形成手段を動作させることなく、画像が形成済みで切欠部が形成された第１の媒体を排出することが可能となる。
【００２４】
さらに、第２の媒体に対する切欠部の形成は一枚ずつ行なうので、従来のように積層した媒体に一括して切欠部を形成する場合のように大きな力を必要とせず容易に切欠部を形成することができる。
【００２５】
また、第１或いは第２の媒体の一面側に画像を形成する第１の画像形成手段と、第１或いは第２の媒体の他面側に画像を形成する第２の画像形成手段を備えるため、第１或いは第２の媒体の表裏面に画像を連続的に形成することができる。
【発明を実施するための最良の形態】
【００２６】
以下、本発明の実施の形態を図面を参照して詳細に説明する。  
図１は、本発明の一実施の形態であるデジタル電子写真複写機を示す概略的構成図である。
【００２７】
図中１は筐体で、この筐体１の上面部には原稿を載置する透明ガラス製の原稿台３が設けられている。原稿台３上には原稿を一枚ずつ原稿台３上に送り込む原稿供給部２が設けられている。
【００２８】
筐体１内の上部側には原稿台３に沿って移動することにより原稿像を読み取るスキャナ４が設けられている。スキャナ４の下方部には媒体としての用紙を収容する媒体収容手段としての第１及び第２のカセット６ａおよび６ｂが出入自在に設けられている。第１及び第２のカセット６ａ，６ｂには、用紙Ｓ１の有無を検知する透過型光センサ７ａ，７ｂ（チェック手段）及び用紙Ｓ１を一枚ずつ分離して繰り出す繰出ローラ８ａ，８ｂがそれぞれ取付けられている。
【００２９】
第1及び第２のカセット６ａ，６ｂから繰り出された用紙Ｓ１は搬送経路１０に沿って搬送される。搬送経路１０中には用紙の搬送方向に沿って順次、搬送手段としての搬送ローラ対９、像形成手段としての第１の画像形成部１１、第１の定着装置１６、アクチュエータ１７、像形成手段としての第２の画像形成部１９、第２の定着装置２０、切欠部形成手段としてのパンチ部２１、排紙ローラ対２２ａが配設されている。排紙ローラ対２２ａの排出側には排出される用紙を受ける集積手段としての排紙スタッカ２２が設けられている。
【００３０】
第１の画像形成部１１は回転自在な感光体ドラム１２と、この感光体ドラム１２の周囲部にその回転方向に沿って配設された帯電チャージャ１４、レーザ光学系１３、現像器１５、転写チャージャ１５ａ等から構成される公知のものである。第１の定着装置１６はヒートローラ１６ａを備え、用紙に転写された画像を定着するものである。
【００３１】
アクチュエータ１７は回動することによって、用紙の搬送方向を切り換える分岐装置で、片面コピー時には時計方向に回動することで、用紙Ｓ１を上方の搬送路１８に導き、両面コピー時には反時計方向に回動することで、用紙Ｓ１を第２の画像形成部１９に導くものである。
【００３２】
第２の画像形成部１９は、第１の画像形成部１１と同一の機能をもつもので、同一部分については同一番号を付してその説明を省略する。ただし、第２の画像形成部１９は、第１の画像形成部１１とは逆向きに取り付けられ、用紙Ｓ１の裏面に画像を形成するものである。第２の定着ローラ２０は第１の定着装置１６と同様に構成され、ヒートローラ２０ａを備えている。
【００３３】
パンチ部２１は後で詳述するように、媒体としての用紙の一端部に切欠部としてのガリを形成するものである。
【００３４】
また、筐体１内の下部側にはスキャナ４により読み取られた原稿のイメージデータを蓄積する大容量のデータファイル装置５、及び画像形成動作を制御する制御部２３、さらに、電源部２４が配設されている。
【００３５】
図２はパンチ部２１の構造を詳細に示す斜視図である。
【００３６】
このパンチ部２１は用紙Ｓ１の端部に切欠部としての凹状のガリＰを一枚ずつ形成するための装置である。
【００３７】
パンチ部２１はフレーム２３を備え、このフレーム２３の両サイドには側板２４，２５が設けられている。側板２４，２５間には軸受２７を介して軸２６が回動自在に架設されている。側板２５から外方に突出する軸２６の一端部には腕体２８が回動自在に取付けられている。腕体２８の一端側にはプランジャソレノイド２９が接続され、他端側にはバネ２９ａが接続されている。
【００３８】
また、軸２６の側板２４，２５間に位置する部位には先端に切歯３１を形成した複数個のポンチ３０…が所定間隔を存して固定的に取り付けられている。ポンチ３０…には複数個のダイ３２…が対向され、これらダイ３２…は軸３３に所定間隔を存して回動自在に取り付けられている。軸３３は側板２４，２５間に架設されている。ダイ３２…はαバネ３４によりポンチ３０の切歯３１に当接する方向に付勢されている。ダイ３２…の当接量は押しネジ３５で微調整できるようになっている。
【００３９】
ポンチ３０…とダイ３２…の用紙排出側には用紙を挟持搬送する駆動ローラ３６…と従動ローラ３７…が配設されている。駆動ローラ３６…図示しない駆動モータによって回転駆動される。
【００４０】
また、３８は透過型センサで、ポンチ３０を通過しようとする用紙Ｓ１の後端部を検知するものである。
【００４１】
透過型センサ３８が用紙Ｓ１を検知すると、その検知信号が制御部２３に送られ、制御部２３はタイミングを取って、プランジャソレノイド２９を励磁駆動する。これにより、腕体２８がバネ２９ａの付勢力に抗して回動される。この回動により軸２６を介してポンチ３０…が下方に回動され、用紙Ｓ１の後端を挟んだ状態からポンチ３０とダイ３２が噛み合い、ガリＰ…を所定間隔を存して複数形成されるようになっている。
【００４２】
図３は上記した第１の給紙カセット６ａを示す斜視図である。
【００４３】
この第１の給紙カセット６ａ内には、予めガリＰ…が形成された用紙Ｓ１ａが収容されている。用紙Ｓ１ａはそのガリＰ…を用紙搬送方向の後端側を向くようにセットされる。
【００４４】
用紙Ｓ１のセット時に、用紙Ｓ１のセット方向を誤らないように、後押さえ板３９のガリＰ…に対応する部分に突起３９ａ…が突設されている。
【００４５】
用紙Ｓ１をセットするときには、ガリＰ…を後押さえ板３９の突起３９ａ…に合わせるようにするとともに、後押さえ板３９の上面に設けられる注意ラベル４０によっても注意喚起する。
【００４６】
ガリＰ…を用紙Ｓ１の搬送方向前部側に形成した状態で、ローラ・ガイド系に搬送させると、用紙Ｓ１の先端形状が一様でないために、ガイド等への不規則な衝突を起こす可能性があり、場合によっては紙詰りを起こしてしまう。
【００４７】
従って、ガリＰ…を用紙Ｓ１の搬送方向の後部側に形成することは、搬送処理上重要なことである。
【００４８】
第２の給紙カセット６ｂにはガリＰ…を形成しない通常の矩形用紙Ｓ２が収容されている。
【００４９】
次に、上記したデジタル電子写真複写機の動作を図４のフローチャートを参照して説明する。
【００５０】
まず、コピーが製本用かそうでないのかを指定する「製本指定」のオプションを押下げる。しかるのち、コピーボタンを押す（ステップＳ１）。このコピーボタンの押し下げ後、「製本指定」の有無をチェックする（ステップＳ２）。
【００５１】
「製本指定」がされていない場合には、通常のコピーが行なわれる。「製本指定」がされているときは、第１のカセット６ａの用紙検知器７ａで、用紙の有無がチェックされる（ステップＳ３）。
【００５２】
用紙がありと判定された場合は、第１のカセット６ａにセットされている予めガリＰ…が入れられた用紙Ｓ１を一枚ずつ、分離して繰り出す。繰り出された用紙Ｓ１は第１の画像形成部１１に搬送されて第２ページ目が印刷され、第１の定着装置１６に搬送されて印刷画像が定着される。この用紙Ｓ１は分岐装置１７の反時計方向の回動により、第２の画像形成部１９に搬送されて１ページ目が裏面に印刷され（ステップＳ４）、画像が印刷された用紙Ｓ１は第２の定着装置２０に搬送されて印刷画像が定着される。
【００５３】
しかるのち、用紙Ｓ１はパンチ部２１を通過するが、この時は、パンチ部２１は動作せず、用紙Ｓ１はパンチされることなく、搬送されて排紙カタッカ２２上に１ページ目が下側になって集積される。３ページ目以降も同様に印刷されることで、必要なページ数の冊子となるべき複写済用紙が排紙スタッカ２２上に順序正しく集積される（ステップＳ５）。
【００５４】
一方、上記したステップＳ３において、第１のカセット６ａが空であった場合は、第２のカセット６ｂが空か否かが判別される（ステップＳ６）。第２のカセット６ｂが空でなければ、第２のカセット６ｂからガリＰのない通常の用紙Ｓ２が繰り出される。この用紙Ｓ２は第１の画像形成部１１に搬送されて２ページ目が印刷されたのち、第１の定着装置１６に搬送されて印刷画像が定着される。ついで、分岐装置１７の反時計方向の回動により、第２の画像形成部１９に搬送されて１ページ目が裏面に印刷される（ステップＳ７）。画像が印刷された用紙Ｓ１は第２の定着装置２０に搬送されて印刷画像が定着される。
【００５５】
しかるのち、用紙Ｓ２はパンチ部２１に送られ、用紙Ｓ２の後端部が透過型センサ３８により検出されると、所定のタイマ値をカウントした後にプランジャソレノイド２９が励磁される。この時、用紙Ｓ２は搬送状態を継続している。
【００５６】
プランジャソレノイド２９の励磁によりポンチ３０…が動作され、ダイ３２…とによって、用紙Ｓ２の後端が切り取られ、ガリＰ…が形成される（ステップＳ８）。さらに搬送し続けると、排紙カタッカ２２上に１ページ目が下側になって集積される（ステップＳ９）。また、ステップＳ６において、第２のカセット６ｂが空であると、判別された場合には用紙Ｓ１を補給すべきことが指示される（ステップＳ１０）。
【００５７】
以上のフローチャートのごとく、製本指定をすることによって、自動的に用紙にガリが入った状態でかつ、ページが揃って複数枚の複写済用紙を出力できるので、これを後工程の公知の自動製本機に搬送することで、強固な無線綴じ製本ができるものである。
【００５８】
勿論、自動の製本機がない場合でも、手動の簡易製本機で人手を介して同じようにガリ入れの強固な製本ができるものである。
【００５９】
なお、以上の説明では単に製本対象となる全ページ分の積層紙を出力するものであったが、さらに高品位な製本を行なうためには、別に第３のカセットを具備し、この第３のカセット内に対象サイズの倍版の色用紙を二つ折りにしてセットし、プログラムの指定によって、「見返し指定」を行なうと、この第３のカセットから二つ折り用紙を繰り出してガリを入れることができる。
【００６０】
また「遊び紙指定」がある場合は一枚目の印刷の前に指定した枚数の繰り出しを行ない、画像形成部では印刷を行なわずに排紙する。
【００６１】
以上のような制御プログラムによって、図５に示すように、本文の前後に、「見返し」４１、「遊び紙」４２を揃えることができるので、その後の製本では通常の簡易製本工程を通すだけで、高品位なくるみ製本ができるものである。
【００６２】
上記したように、この実施の形態によれば、第１の給紙カセット６ａ内に予め「ガリ入れ」した用紙Ｓ１を収容するため、この用紙Ｓ１を取出した場合には、用紙Ｓ１に印刷するだけで、簡単に「ガリ入れ」した出力紙をセットで作ることができるようになった。
【００６３】
なお、このガリ入りの用紙Ｓ１は、用紙メーカによって高速、大量に製造することで供給される。
【００６４】
また、予め、ガリの入った用紙がない場合は、第２の給紙カセット６ｂからガリのない用紙Ｓ２を取出して画像を印刷してからガリを形成するから、ガリの入った用紙がない場合でも確実にガリ入りの用紙を排出することができる。
【００６５】
また、このガリ入れは一枚ずつ連続して行なうので、積層した状態で一括してガリ入れする場合のように大きな力を必要とせず、簡単にガリを形成することができる。
【００６６】
また、ガリを用紙の搬送方向の後端部に形成するため、搬送路での用紙の詰りを防止することができる。しかも、用紙を停止させることなく、搬送状態でガリを形成することができ、非常に大きな効果を持つものである。
【００６７】
さらに、第１及び第２の給紙カセット６ａ，６ｂを筐体１内の上部側に配置するため、作業者が腰をかがめずに給紙することができ、
また、第１及び第２の画像形成部１１，１９を表裏２対設けるため、用紙の表裏に連続印刷することができる。
【００６８】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００６９】
【図１】本発明の一実施の形態である電子写真複写機を示す概略的構成図。
【図２】用紙にガリを形成するガリ形成装置を示す斜視図。
【図３】ガリ付きの用紙を収容する給紙カセットを示す斜視図。
【図４】画像形成動作及びバリ形成動作を示すフローチャート図。
【図５】冊子本文の前後に設けられる「見返し」と「遊び紙」を示す斜視図。
【図６】冊子を開いた状態を示す正面図。
【図７】冊子を開いた状態を示す正面図。
【図８】積層用紙に形成されたガリを示す斜視図。
【符号の説明】
【００７０】
Ｓ１，Ｓ２…用紙（媒体）、１…筐体、２…原稿供給部、３…原稿台、４…スキャナ、５…データファイル装置、６ａ，６ｂ…第１及び第２の給紙カセット（媒体収容手段）、７ａ，７ｂ…透過型光センサ（チェック手段）、８ａ，８ｂ…繰出ローラ（媒体供給手段）、９…ローラ対（搬送手段）、１０…搬送経路、１１…第１の画像形成部（像形成手段）、１２…感光体ドラム、１３…レーザ光学系、１４…帯電チャージャ、１５…現像器、１６…第１のヒートローラ、１７…分岐装置、１８…搬送路、１９…第２の画像形成部（像形成手段）、２０…ヒートローラ、２１…パンチ部（切欠部形成手段）、２２…排紙スタッカ（集積手段）、２３…制御部、２４…電源、２５…側板、２６…軸、２７…軸受、２８…腕体、２９…プランジャソレノイド、２９ａ…バネ（ソレノイド）、３０…ポンチ（切欠部形成手段）、３１…切歯、３２…ダイ（切欠部形成手段）、３３…軸、３４…αバネ、３５…押しネジ、３６…従動ローラ、３８…後押さえ板（透過型センサ）、３９…突起、４０…注意ラベル、４１…「見返し」、４２…「遊び紙」、５１…積層紙葉、５２…ホットメル接着剤、５３…くるみ表紙、Ｐ…ガリ（切欠部）。
【図１】
0004848414.tif 000002
【図２】
0004848414.tif 000003
【図３】
0004848414.tif 000004
【図４】
0004848414.tif 000005
【図５】
0004848414.tif 000006
【図６】
0004848414.tif 000007
【図７】
0004848414.tif 000008
【図８】
0004848414.tif 000009